(57)【要約】      （修正有）【課題】ネットワーク全体の通信品質の低下を抑制しつつ基地局の省電力化を提供する。【解決手段】基地局は、Ｍｅｄｉｕｍ  Ａｃｃｅｓｓ  Ｃｏｎｔｒｏｌ（ＭＡＣ）機能と、Ｒａｄｉｏ  Ｌｉｎｋ  Ｃｏｎｔｏｌ（ＲＬＣ）機能と、Ｐａｃｋｅｔ  Ｄａｔａ  Ｃｏｎｖｅｒｇｅｎｃｅ  Ｐｒｏｔｏｃｏｌ（ＰＤＣＰ）機能と、を制御する制御部を備える。制御部は、他の基地局の代わりに、ＰＤＣＰ機能において第１の情報を処理する。ＰＤＣＰ機能において第１の情報が処理された後、第１の情報を他の基地局へ送信する。第１の情報は、他の基地局を介してユーザ端末へ送信される情報である。制御部は、第１の情報を他の基地局へ送信する処理を開始した後、ユーザ端末が接続するセルを変更するための制御を他の基地局が開始するための通知を、他の基地局へ送信する。【選択図】図９
2018129849.tif 000002
【特許請求の範囲】
【請求項１】
基地局であって、
Ｍｅｄｉｕｍ  Ａｃｃｅｓｓ  Ｃｏｎｔｒｏｌ（ＭＡＣ）機能と、
Ｒａｄｉｏ  Ｌｉｎｋ  Ｃｏｎｔｏｌ（ＲＬＣ）機能と、
Ｐａｃｋｅｔ  Ｄａｔａ  Ｃｏｎｖｅｒｇｅｎｃｅ  Ｐｒｏｔｏｃｏｌ（ＰＤＣＰ）機能と、を制御する制御部を備え、
前記制御部は、
他の基地局の代わりに、前記ＰＤＣＰ機能において第１の情報を処理し、
前記ＰＤＣＰ機能において前記第１の情報が処理された後、前記第１の情報を前記他の基地局へ送信し、
前記第１の情報は、前記他の基地局を介してユーザ端末へ送信される情報であり、
前記制御部は、前記第１の情報を前記他の基地局へ送信する処理を開始した後、前記ユーザ端末が接続するセルを変更するための制御を前記他の基地局が開始するための通知を前記他の基地局へ送信する基地局。
【請求項２】
前記制御部は、前記ユーザ端末からの第２の情報を前記他の基地局から受け取り、
前記第２の情報は、前記他の基地局の前記ＲＬＣ機能及び前記ＭＡＣ機能において処理され、
前記制御部は、前記基地局の前記ＲＬＣ機能及び前記ＭＡＣ機能において処理をせずに、前記第２の情報を前記ＰＤＣＰ機能において処理する請求項１に記載の基地局。
【請求項３】
基地局を制御するためのプロセッサであって、
Ｍｅｄｉｕｍ  Ａｃｃｅｓｓ  Ｃｏｎｔｒｏｌ（ＭＡＣ）機能と、Ｒａｄｉｏ  Ｌｉｎｋ  Ｃｏｎｔｏｌ（ＲＬＣ）機能と、Ｐａｃｋｅｔ  Ｄａｔａ  Ｃｏｎｖｅｒｇｅｎｃｅ  Ｐｒｏｔｏｃｏｌ（ＰＤＣＰ）機能と、を制御する処理と、
他の基地局の代わりに、前記ＰＤＣＰ機能において第１の情報を処理する処理と、
前記ＰＤＣＰ機能において前記第１の情報が処理された後、前記第１の情報を前記他の基地局へ送信する処理と、
前記第１の情報を前記他の基地局へ送信する処理を開始した後、前記ユーザ端末が接続するセルを変更するための制御を前記他の基地局が開始するための通知を前記他の基地局へ送信する処理と、を実行し、
前記第１の情報は、前記他の基地局を介してユーザ端末へ送信される情報であるプロセッサ。
【請求項４】
通信方法であって、
Ｍｅｄｉｕｍ  Ａｃｃｅｓｓ  Ｃｏｎｔｒｏｌ（ＭＡＣ）機能と、Ｒａｄｉｏ  Ｌｉｎｋ  Ｃｏｎｔｏｌ（ＲＬＣ）機能と、Ｐａｃｋｅｔ  Ｄａｔａ  Ｃｏｎｖｅｒｇｅｎｃｅ  Ｐｒｏｔｏｃｏｌ（ＰＤＣＰ）機能と、を制御するよう構成されている第１の基地局が、第２の基地局の代わりに、前記ＰＤＣＰ機能において第１の情報を処理するステップと、
前記第１の基地局が、前記ＰＤＣＰ機能において前記第１の情報が処理された後、前記第１の情報を前記第２の基地局へ送信するステップと、
前記第１の基地局が、前記第１の情報を前記第２の基地局へ送信する処理を開始した後、前記ユーザ端末が接続するセルを変更するための制御を前記第２の基地局が開始するための通知を前記第２の基地局へ送信するステップと、を有し、
前記第１の情報は、前記第２の基地局を介してユーザ端末へ送信される情報である通信方法。
【発明の詳細な説明】
【技術分野】
【０００１】
本発明は、移動通信システムにおいて用いられる基地局、プロセッサ及び通信方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減するエナジーセービング技術が導入されている（例えば、非特許文献１参照）。例えば、通信トラフィックの少ない夜間などにおいて、基地局が管理するセルの運用を停止することにより、基地局の消費電力を削減できる。
【先行技術文献】
【非特許文献】
【０００３】
【非特許文献１】３ＧＰＰ技術仕様書  「ＴＳ  ３６．３００  Ｖ１１．６．０」      ２０１３年７月
【発明の概要】
【０００４】
しかしながら、基地局が管理するセルの運用を停止することにより、基地局の消費電力を削減できるものの、当該セルと接続を確立するユーザ端末の通信品質が低下する虞がある。従って、ネットワーク全体の通信品質の低下を抑制しつつ基地局の省電力化を実現することが求められている。
【０００５】
そこで、本発明は、ネットワーク全体の通信品質の低下を抑制しつつ基地局の省電力化を実現可能にすることを目的とする。
【０００６】
一の実施形態に係る基地局は、Ｍｅｄｉｕｍ  Ａｃｃｅｓｓ  Ｃｏｎｔｒｏｌ（ＭＡＣ）機能と、Ｒａｄｉｏ  Ｌｉｎｋ  Ｃｏｎｔｏｌ（ＲＬＣ）機能と、Ｐａｃｋｅｔ  Ｄａｔａ  Ｃｏｎｖｅｒｇｅｎｃｅ  Ｐｒｏｔｏｃｏｌ（ＰＤＣＰ）機能と、を制御する制御部を備える。前記制御部は、他の基地局の代わりに、前記ＰＤＣＰ機能において第１の情報を処理する。前記ＰＤＣＰ機能において前記第１の情報が処理された後、前記第１の情報を前記他の基地局へ送信する。前記第１の情報は、前記他の基地局を介してユーザ端末へ送信される情報である。前記制御部は、前記第１の情報を前記他の基地局へ送信する処理を開始した後、前記ユーザ端末が接続するセルを変更するための制御を前記他の基地局が開始するための通知を前記他の基地局へ送信する。
【０００７】
一の実施形態に係るプロセッサは、基地局を制御するためのプロセッサである。前記プロセッサは、Ｍｅｄｉｕｍ  Ａｃｃｅｓｓ  Ｃｏｎｔｒｏｌ（ＭＡＣ）機能と、Ｒａｄｉｏ  Ｌｉｎｋ  Ｃｏｎｔｏｌ（ＲＬＣ）機能と、Ｐａｃｋｅｔ  Ｄａｔａ  Ｃｏｎｖｅｒｇｅｎｃｅ  Ｐｒｏｔｏｃｏｌ（ＰＤＣＰ）機能と、を制御する処理と、他の基地局の代わりに、前記ＰＤＣＰ機能において第１の情報を処理する処理と、前記ＰＤＣＰ機能において前記第１の情報が処理された後、前記第１の情報を前記他の基地局へ送信する処理と、前記第１の情報を前記他の基地局へ送信する処理を開始した後、前記ユーザ端末が接続するセルを変更するための制御を前記他の基地局が開始するための通知を前記他の基地局へ送信する処理と、を実行する。前記第１の情報は、前記他の基地局を介してユーザ端末へ送信される情報である。
【０００８】
一の実施形態に係る通信方法は、Ｍｅｄｉｕｍ  Ａｃｃｅｓｓ  Ｃｏｎｔｒｏｌ（ＭＡＣ）機能と、Ｒａｄｉｏ  Ｌｉｎｋ  Ｃｏｎｔｏｌ（ＲＬＣ）機能と、Ｐａｃｋｅｔ  Ｄａｔａ  Ｃｏｎｖｅｒｇｅｎｃｅ  Ｐｒｏｔｏｃｏｌ（ＰＤＣＰ）機能と、を制御するよう構成されている第１の基地局が、第２の基地局の代わりに、前記ＰＤＣＰ機能において第１の情報を処理するステップと、前記第１の基地局が、前記ＰＤＣＰ機能において前記第１の情報が処理された後、前記第１の情報を前記第２の基地局へ送信するステップと、前記第１の基地局が、前記第１の情報を前記第２の基地局へ送信する処理を開始した後、前記ユーザ端末が接続するセルを変更するための制御を前記第２の基地局が開始するための通知を前記第２の基地局へ送信するステップと、を有する。前記第１の情報は、前記第２の基地局を介してユーザ端末へ送信される情報である。
【図面の簡単な説明】
【０００９】
【図１】図１は、ＬＴＥシステムの構成図である。
【図２】図２は、ｅＮＢのブロック図である。
【図３】図３は、ＬＴＥシステムにおける無線インターフェイスのプロトコルスタック図である。
【図４】図４は、ＬＴＥシステムで使用される無線フレームの構成図である。
【図５】図５は、本実施形態に係る移動通信システムの通常の運用における動作概要を説明するための説明図である。
【図６】図６は、本実施形態に係る移動通信システムの効率的な運用における動作概要を説明するための説明図である。
【図７】図７は、移動通信システムの通常の運用におけるｅＮＢ２００Ａ及びｅＮＢ２００Ｂの動作の一例を説明するための説明図である。
【図８】図８は、移動通信システムの効率的な運用におけるｅＮＢ２００Ａ及びｅＮＢ２００Ｂの動作の一例（動作パターン１）を説明するための説明図である。
【図９】図９は、移動通信システムの効率的な運用におけるｅＮＢ２００Ａ及びｅＮＢ２００Ｂの動作の一例（動作パターン２）を説明するための説明図である。
【図１０】図１０は、移動通信システムの効率的な運用に切り替える場合の動作シーケンス１を説明するための説明図である。
【図１１】図１１は、移動通信システムの効率的な運用に切り替える場合の動作シーケンス２を説明するための説明図である。
【図１２】図１２は、移動通信システムの効率的な運用に切り替える場合の動作シーケンスの変更例を説明するための説明図である。
【図１３】図１３は、移動通信システムの通常の運用と移動通信システムの効率的な運用の切り替えの一例を説明するための説明図である。
【発明を実施するための形態】
【００１０】
［実施形態の概要］
本実施形態に係る基地局（ｅＮＢ２００Ａ）は、移動通信システムにおいて用いられる基地局である。当該基地局は、他の基地局がユーザ端末との通信に関する一部の機能を停止する効率的動作を行う場合において、前記他の基地局の無線部及びアンテナ部を利用しながら、前記一部の機能を前記他の基地局に代わって前記基地局で行うように制御する制御部を備える。
【００１１】
本実施形態において、前記他の基地局は、ベースバンド信号の処理を行うベースバンド部と、前記他の基地局における制御を行う制御部と、をさらに備える。前記一部の機能は、前記ベースバンド部の機能及び前記他の基地局の前記制御部の機能である。
【００１２】
本実施形態において、前記他の基地局は、前記他の基地局における制御を行う制御部をさらに備える。前記一部の機能は、前記他の基地局の前記制御部の機能であって、前記他の基地局と接続する前記ユーザ端末との通信を制御するＲＲＣ機能である。
【００１３】
本実施形態において、前記他の基地局は、第１の無線リソース及び第２の無線リソースを管理している。前記他の基地局は、前記第１の無線リソースを使用して通信を行う前記ユーザ端末が前記第２の無線リソースを使用して通信を行うための第１の切り替えを行う。前記他の基地局は、前記第１の切り替えを行った後に前記第１の無線リソースの管理を停止する。前記制御部は、前記他の基地局の前記無線部及び前記アンテナ部を利用しながら、前記第１の無線リソースの管理を前記他の基地局に代わって、前記基地局で行うように制御する。
【００１４】
本実施形態において、前記制御部は、前記第２の無線リソースを使用して通信を行う前記ユーザ端末が、前記他の基地局に代わって前記基地局が管理する前記第１の無線リソースを使用して通信を行うための第２の切り替えを制御する。前記他の基地局は、前記第２の切り替えを行った後に前記第２の無線リソースの管理を停止する。
【００１５】
本実施形態において、前記第１の無線リソースは、第１のセルの運用に用いられる。前記第２の無線リソースは、第２のセルの運用に用いられる。前記第１の切り替えは、前記第１のセルから前記第２のセルへのハンドオーバ手続である。
【００１６】
本実施形態において、前記第１の無線リソース及び前記第２の無線リソースは、互いに重複しないように、時間方向及び／又は周波数方向に分割された、前記基地局及び前記他の基地局が利用可能な所定の周波数帯域における無線リソースである。
【００１７】
本実施形態に係る基地局（ｅＮＢ２００Ｂ）は、移動通信システムにおいて用いられ、無線部とアンテナ部とを備える基地局である。当該基地局は、前記基地局がユーザ端末との通信に関する一部の機能を停止する効率的動作を制御する制御部をさらに備える。前記制御部は、前記基地局の周辺に位置する他の基地局が、前記無線部及び前記アンテナ部を利用しながら、前記一部の機能を前記基地局に代わって行う場合に、前記効率的動作を制御する。
【００１８】
本実施形態に係る基地局は、ベースバンド信号の処理を行うベースバンド部をさらに備える。前記一部の機能は、前記ベースバンド部の機能及び前記制御部の機能である。
【００１９】
本実施形態において、前記制御部は、再送処理を行うＲＬＣ機能及び無線リソースのスケジューリングと再送処理とを行うＭＡＣ機能を行う。
【００２０】
本実施形態において、前記制御部は、第１の無線リソース及び第２の無線リソースを管理している。前記制御部は、前記第１の無線リソースを使用して通信を行う前記ユーザ端末が前記第２の無線リソースを使用して通信を行うための第１の切り替えを制御する。前記制御部は、前記第１の切り替えを行った後に前記第１の無線リソースの管理を停止する。
【００２１】
本実施形態において、前記他の基地局は、前記第１の切り替えを行った後に、前記基地局の前記無線部及び前記アンテナ部を利用しながら、前記第１の無線リソースの管理を前記基地局に代わって、前記他の基地局で行うように制御する。前記制御部は、前記第２の無線リソースを使用して通信を行う前記ユーザ端末が、前記基地局に代わって前記他の基地局が管理する前記第１の無線リソースを使用して通信を行うための第２の切り替えを制御する。前記制御部は、前記第２の切り替えを行った後に前記第２の無線リソースの管理を停止する。
【００２２】
本実施形態において、前記第１の無線リソースは、第１のセルの運用に用いられる。前記第２の無線リソースは、第２のセルの運用に用いられる。前記第１の切り替えは、前記第１のセルから前記第２のセルへのハンドオーバ手続である。
【００２３】
本実施形態において、前記第１の無線リソース及び前記第２の無線リソースは、互いに重複しないように、時間方向及び／又は周波数方向に分割された、前記基地局及び前記他の基地局が利用可能な所定の周波数帯域における無線リソースである。
【００２４】
［実施形態］
（ＬＴＥシステム）
図１は、本実施形態に係るＬＴＥシステムの構成図である。
【００２５】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２６】
ＵＥ１００は、移動型の無線通信装置であり、接続を確立したセル（サービングセル）との無線通信を行う。ＵＥ１００はユーザ端末に相当する。
【００２７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２８】
なお、「セル」は、無線通信エリアの最小単位を示す用語として使用される他に、ＵＥ１００との無線通信を行う機能を示す用語としても使用される。
【００２９】
ｅＮＢ２００は、例えば、無線リソース管理（ＲＲＭ）機能と、ユーザデータのルーティング機能と、モビリティ制御及びスケジューリングのための測定制御機能と、を有する。
【００３０】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３１】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３２】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３３】
ＯＡＭ４００は、オペレータによって管理されるサーバ装置であり、Ｅ−ＵＴＲＡＮ１０の保守及び監視を行う。
【００３４】
次に、ｅＮＢ２００の構成を説明する。
【００３５】
図２は、ｅＮＢ２００のブロック図である。図２に示すように、ｅＮＢ２００は、アンテナ部２０１と、無線部２１０と、ベースバンド部２２０と、バックホールＩ／Ｆ２３０と、制御部２４０と、を有する。制御部２４０は、メモリ及びプロセッサによって構成される。
【００３６】
アンテナ部２０１及び無線部２１０は、無線信号の送受信に用いられる。アンテナ部２０１は、単一のアンテナによって構成されてもよいし、複数のアンテナによって構成されてもよい。
【００３７】
無線部２１０は、アンテナ部２０１を通じて、無線信号を送受信する。具体的には、無線部２１０は、アンテナ部２０１から受信された無線信号をベースバンド信号に変換し、ベースバンド部２２０に出力する。また、無線部２１０は、ベースバンド部２２０が出力するベースバンド信号を無線信号に変換して、アンテナ部２０１から送信する。また、無線部２１０は、送受信する信号を増幅する。
【００３８】
無線部２１０は、ベースバンド部２２０からの信号だけでなく、バックホールＩ／Ｆ２３０を介して入力される隣接ｅＮＢ２００からの信号に対して上述の処理を行うことができる。
【００３９】
ベースバンド部２２０は、ベースバンド信号の処理を行う。具体的には、ベースバンド部２２０は、ベースバンド信号の変調・復調及び符号化・復号などのベースバンド信号の処理を行う。また、ベースバンド部２２０は、ベースバンド信号を無線部２１０に出力するだけでなく、隣接ｅＮＢ２００に送るために、バックホールＩ／Ｆ２３０に出力できる。また、ベースバンド部２２０は、バックホールＩ／Ｆ２３０を介して入力される隣接ｅＮＢ２００からのベースバンド信号に対して上述の処理を行い、制御部２４０又は無線部２１０に出力できる。
【００４０】
ベースバンド部２２０は、ベースバンドプロセッサによって構成される。なお、ベースバンドプロセッサは、制御部を構成するプロセッサと一体化されていてもよい。
【００４１】
バックホールＩ／Ｆ２３０は、Ｘ２インターフェイスを介して隣接ｅＮＢ２００と接続され、Ｓ１インターフェイスを介してＭＭＥ／Ｓ−ＧＷ３００と接続される。バックホールＩ／Ｆ２３０は、Ｘ２インターフェイス上で行う通信及びＳ１インターフェイス上で行う通信に用いられる。また、バックホールＩ／Ｆ２３０は、Ｘ２インターフェイスと異なるＸｎインターフェイス及び／又はＸｙインターフェイスを介して隣接ｅＮＢ２００と接続されてもよい。
【００４２】
バックホールＩ／Ｆ２３０は、Ｘ２インターフェイス及びＸｎインターフェイス（又はＸｙインターフェイス）のいずれかを利用して、無線部２１０、ベースバンド部２２０及び制御部２４０のそれぞれから出力された信号を隣接ｅＮＢ２００に送信できる。同様に、バックホールＩ／Ｆ２３０は、隣接ｅＮＢ２００からの信号を無線部２１０、ベースバンド部２２０及び制御部２４０のいずれかに出力できる。
【００４３】
なお、Ｘ２インターフェイスは、ｅＮＢ２００と隣接ｅＮＢ２００とを物理的に接続する光ファイバ（Ｏｐｔｉｃａｌ  Ｆｉｂｅｒ）によって構成されてもよい。また、Ｘ２インターフェイスは、光ファイバ無線（ＲＯＦ）のモデムを用いることによって、Ｘｎインターフェイス及び／又はＸｙインターフェイスと物理的に同一の信号線によって構成されてもよい。この場合、移動通信システムの状況に応じて、Ｘ２インターフェイスとＸｘインターフェイス又はＸｙインターフェイスとが切り替えられる。具体的には、移動通信システムの通常の運用においてＸ２インターフェイスが用いられ、後述する移動通信システムの効率的な運用においてＸｘインターフェイス又はＸｙインターフェイスが用いられる。なお、Ｘ２インターフェイスとＸｘインターフェイス（又はＸｙインターフェイス）とが、切り替えられるのではなく、Ｘ２インターフェイスとＸｘインターフェイス（又はＸｙインターフェイス）とが共存してもよい。従って、ｅＮＢ２００は、Ｘ２インターフェイスとＸｘインターフェイス（又はＸｙインターフェイス）とを同時に利用して、隣接ｅＮＢ２００と信号の送受信を行うことも可能である。
【００４４】
制御部２４０は、後述する各種の制御を行う。また、本実施形態に係る制御部は、隣接ｅＮＢ２００の一部の機能を隣接ｅＮＢ２００に代わって制御する。
【００４５】
また、制御部は、メモリ及びプロセッサによって構成される。メモリは、プロセッサによって実行されるプログラムと、プロセッサによる処理に使用される情報と、を記憶する。プロセッサは後述する各種の処理及び各種の通信プロトコルを実行する。
【００４６】
図３は、ＬＴＥシステムにおける無線インターフェイスのプロトコルスタック図である。
【００４７】
図３に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４８】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４９】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５０】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５１】
ＰＤＣＰレイヤは、ヘッダ圧縮・伸張、及び暗号化・復号化を行う。
【００５２】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５４】
図４は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５５】
図４に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５６】
ＵＥ１００に割り当てられる無線リソースのうち、周波数リソースはリソースブロックにより特定でき、時間リソースはサブフレーム（又はスロット）により特定できる。
【００５７】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５８】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００５９】
（実施形態に係る移動通信システムの動作）
（１）動作概要
次に、本実施形態に係る移動通信システムの動作概要を、図５及び図６を用いて説明する。図５は、本実施形態に係る移動通信システムの通常の運用における動作概要を説明するための説明図である。図６は、本実施形態に係る移動通信システムの効率的な運用における動作概要を説明するための説明図である。
【００６０】
図５に示すように、ｅＮＢ２００Ａは、各ｅＮＢ２００Ｂに隣接して設置されており、Ｘ２インターフェイスを介して、各ｅＮＢ２００Ｂと接続している。ｅＮＢ２００Ａ及び各ｅＮＢ２００Ｂのそれぞれは、自セルを管理している。ｅＮＢ２００Ｂは、ｅＮＢ２００Ａの隣接ｅＮＢ２００（周辺ｅＮＢ２００）に相当する。
【００６１】
一方、移動通信システムの効率的な運用（例えば、省電力を目的とするエナジーセービング）が行われる場合、ｅＮＢ２００Ｂは、ＵＥ１００との通信に関する一部の機能を停止する動作を行う。この場合において、ｅＮＢ２００Ａは、ｅＮＢ２００Ｂの無線部２１０及びアンテナ部２０１を利用しながら一部の機能をｅＮＢ２００Ｂに代わって行う（図６参照）。従って、ｅＮＢ２００Ａが、ｅＮＢ２００Ｂに代わってｅＮＢ２００Ｂのセルを管理できる。
【００６２】
このように、ｅＮＢ２００Ｂは、エナジーセービングを行う場合において、ＲＲＨ（Ｒｅｍｏｔｅ  Ｒａｄｉｏ  Ｈｅａｄ）と同様の動作が可能である。すなわち、ｅＮＢ２００Ｂは、擬似的なＲＲＨとして振る舞う。
【００６３】
（２）動作パターン
次に、移動通信システムの効率的な運用が行われる場合の動作パターンについて、図７から図９を用いて説明する。図７は、移動通信システムの通常の運用におけるｅＮＢ２００Ａ及びｅＮＢ２００Ｂの動作の一例を説明するための説明図である。図８は、移動通信システムの効率的な運用におけるｅＮＢ２００Ａ及びｅＮＢ２００Ｂの動作の一例（動作パターン１）を説明するための説明図である。図９は、移動通信システムの効率的な運用におけるｅＮＢ２００Ａ及びｅＮＢ２００Ｂの動作の一例（動作パターン２）を説明するための説明図である。
【００６４】
図７に示すように、ｅＮＢ２００Ａは、アンテナ部２０１ａ、無線部２１０ａ、ベースバンド部２２０ａ、バックホールＩ／Ｆ２３０ａ及び制御部２４０ａを備える。同様に、ｅＮＢ２００Ｂは、アンテナ部２０１ｂ、無線部２１０ｂ、ベースバンド部２２０ｂ、バックホールＩ／Ｆ２３０ｂ及び制御部２４０ｂを備える。また、バックホールＩ／Ｆ２３０ａとバックホールＩ／Ｆ２３０ｂとは、Ｘ２インターフェイスを介して接続されている。Ｘ２インターフェイスは、光ファイバ（Ｏｐｔｉｃａｌ  Ｆｉｂｅｒ）によって構成される。
【００６５】
移動通信システムの通常の運用において、ｅＮＢ２００Ａでは、制御部２４０ａは、ｅＮＢ２００Ａのセル内に位置するＵＥ１００との通信のためにベースバンド部２２０ａに信号を出力する。ベースバンド部２２０ａは、入力された信号に処理を行い、無線部２１０ａに当該信号を出力する。無線部２１０ａは、入力された信号に処理を行い、アンテナ部２０１ａからＵＥ１００に当該信号を送信する。また、無線部２１０ａは、アンテナ部２０１ａが受信したＵＥ１００からの信号に処理を行い、ベースバンド部２２０ａに当該信号を出力する。ベースバンド部２２０ａは、入力された信号に処理を行い、制御部２４０ａに当該信号を出力する。
【００６６】
ｅＮＢ２００Ｂにおいても、ｅＮＢ２００Ａと同様に、信号の送受信が行われる。
【００６７】
次に、移動通信システムの効率的な運用におけるｅＮＢ２００Ａ及びｅＮＢ２００Ｂの動作の一例を説明する。ｅＮＢ２００Ａ及びｅＮＢ２００Ｂは、以下の動作パターンを実行できる。
【００６８】
動作パターン１（図８参照）では、ｅＮＢ２００Ｂにおいて停止する一部の機能は、ベースバンド部２２０ｂの機能及びＵＥ１００との通信に関する制御部２４０ｂの機能である。ｅＮＢ２００Ａは、ｅＮＢ２００Ｂの代わりに、ベースバンド部２２０ｂの機能及び制御部２４０ｂの当該機能を行う。
【００６９】
本実施形態において、ｅＮＢ２００ＡとｅＮＢ２００Ｂとは、光ファイバによって構成されるＸｘインターフェイスを介して接続されている。
【００７０】
ｅＮＢ２００Ｂが一部の機能として、ベースバンド部２２０ｂの機能及び制御部２４０ｂの当該機能を停止する場合、ｅＮＢ２００Ａでは、制御部２４０ａは、ｅＮＢ２００Ｂのセル内に位置するＵＥ１００との通信のための信号をベースバンド部２２０ａに出力する。ベースバンド部２２０は、入力された信号に処理を行い、無線部２１０ａではなく、バックホールＩ／Ｆ２３０ａに出力する。バックホールＩ／Ｆ２３０ａは、Ｘｘインターフェイスを介して、ｅＮＢ２００Ｂに送信する。ｅＮＢ２００Ｂでは、バックホールＩ／Ｆ２３０ｂは、Ｘｘインターフェイスを介して、ｅＮＢ２００Ａからの信号を受信し、当該信号を無線部２１０ｂに出力する。無線部２１０ｂは、入力された信号に処理を行い、アンテナ部２０１ｂからＵＥ１００に当該信号を送信する。
【００７１】
また、ｅＮＢ２００Ｂでは、無線部２１０ｂは、アンテナ部２０１ｂが受信したＵＥ１００からの信号に処理を行い、バックホールＩ／Ｆ２３０ｂに出力する。バックホールＩ／Ｆ２３０ｂは、Ｘｘインターフェイスを介して、ｅＮＢ２００Ａに送信する。ｅＮＢ２００Ａでは、バックホールＩ／Ｆ２３０ａは、Ｘｘインターフェイスを介して、ｅＮＢ２００Ｂからの信号を受信し、当該信号を制御部２４０ａに出力する。制御部２４０ａは、入力された信号に応じて、ＵＥ１００を制御するための処理を行う。
【００７２】
このようにして、ｅＮＢ２００Ａは、ｅＮＢ２００Ｂのセル内に位置するＵＥ１００との通信を制御する。
【００７３】
次に、動作パターン２（図９参照）を説明する。動作パターン２では、ｅＮＢ２００Ｂにおいて停止する一部の機能は、制御プレーンにおける処理、具体的には、ＵＥ１００との通信に関するＲＲＣレイヤにおける機能（ＲＲＣ機能）及びＵＥ１００との通信に関するＰＤＣＰレイヤにおける機能（ＰＤＣＰ機能）である。具体的には、ＲＲＣ機能は、ｅＮＢ２００Ｂと接続するＵＥ１００との通信を制御する機能であり、ＰＤＣＰ機能は、ヘッダ圧縮・伸張、及び暗号化・復号化を行う機能である。ｅＮＢ２００Ａは、ｅＮＢ２００Ｂの代わりに、ＲＲＣ機能及びＰＤＣＰ機能を行う。
【００７４】
一方、ｅＮＢ２００Ｂの制御部２４０ｂは、ユーザプレーンにおける処理、具体的には、ＲＬＣレイヤにおける機能（ＲＬＣ機能）及びＭＡＣレイヤにおける機能（ＭＡＣ機能）を停止せずに、実行する。ＲＬＣ機能は、再送処理（ＡＲＱ：Ａｕｔｏｍａｔｉｃ  Ｒｅｐｅａｔ  Ｒｅｑｕｅｓｔ）を行う機能である。ＭＡＣ機能は、無線リソースのスケジューリング及び再送処理（ＨＡＲＱ：Ｈｙｂｒｉｄ  ＡＲＱ）を行う機能である。
【００７５】
本実施形態において、ｅＮＢ２００ＡとｅＮＢ２００Ｂとは、光ファイバ以外の信号線によって構成されるＸｙインターフェイスを介して、接続されている。
【００７６】
ｅＮＢ２００Ｂが、一部の機能として、ＲＲＣ機能及びＰＤＣＰ機能を停止する場合、ｅＮＢ２００Ｂにおいて、制御部２４０ｂは、ＵＥ１００からＲＲＣ機能及びＰＤＣＰ機能が行う処理に関する信号を受信した場合、Ｘｙインターフェイスを介して、ｅＮＢ２００Ａに当該信号を出力する。ｅＮＢ２００Ａにおいて、制御部２４０ａは、ｅＮＢ２００Ｂからの当該信号に応じて、ＲＲＣ機能及びＰＤＣＰ機能が行う処理を行う。また、ｅＮＢ２００Ａにおいて、制御部２４０ａは、ＲＲＣ機能及びＰＤＣＰ機能によって処理が行われた信号を、Ｘｙインターフェイスを介してｅＮＢ２００Ｂに送信する。ｅＮＢ２００Ｂにおいて、制御部２４０ｂは、ｅＮＢ２００Ａからの当該信号を、ベースバンド部２２０ｂ及び無線部２１０ｂを介して、アンテナ部２０１ａからＵＥ１００に信号を送信する。
【００７７】
一方、ｅＮＢ２００Ｂにおいて、制御部２４０ｂは、ＵＥ１００からＲＬＣ機能及びＭＡＣ機能が行う処理に関する信号を受信した場合、ｅＮＢ２００Ａに当該信号を送信せずに、制御部２４０ｂ自身で、当該信号に応じた処理を行う。
【００７８】
なお、ｅＮＢ２００Ａ（又はｅＮＢ２００Ｂ）は、エナジーセービングが行われる場合において、ｅＮＢ２００ＡとｅＮＢ２００Ｂとを接続するインターフェイスが光ファイバ以外の信号線である場合に、動作パターン２を行うと判断してもよい。
【００７９】
（３）動作シーケンス
次に、移動通信システムの通常の運用から効率的な運用へ切り替える場合におけるｅＮＢ２００Ａ及びｅＮＢ２００Ｂの動作シーケンスを図１０及び図１１を用いて説明する。
【００８０】
図１０は、本実施形態に係る移動通信システムの効率的な運用に切り替える場合の動作シーケンス１を説明するための説明図である。図１１は、本実施形態に係る移動通信システムの効率的な運用に切り替える場合の動作シーケンス２を説明するための説明図である。
【００８１】
まず、図１０を用いて、動作シーケンス１を説明する。ｅＮＢ２００Ａは、キャリアＦ１に対応するセルａ１及びキャリアＦ２に対応するセルａ２を管理している。同様に、ｅＮＢ２００Ｂは、キャリアＦ１に対応するセルｂ１及びキャリアＦ２に対応するセルｂ２を管理している。すなわち、キャリアＦ１は、セルａ１及びセルｂ１の運用に用いられ、キャリアＦ２は、セルａ２及びセルｂ２の運用に用いられる。
【００８２】
図１０に示すように、ステップＳ１１０において、ｅＮＢ２００Ａ（又はｅＮＢ２００Ｂ）は、ｅＮＢ２００Ｂのエナジーセービングを行うか否かを判断する。具体的には、ｅＮＢ２００Ａ（又はｅＮＢ２００Ｂ）は、以下の第１から第３の判断方法の何れかに従って、ｅＮＢ２００Ｂのエナジーセービングを行うか否かを判断できる。
【００８３】
第１の判断方法として、ｅＮＢ２００Ａは、ｅＮＢ２００Ａ及び／又はｅＮＢ２００Ｂにおけるトラフィック状況（接続ＵＥ数、送受信データ量、又は無線リソース使用率など）の時間変動に基づいて、ｅＮＢ２００Ｂのエナジーセービングを行うか否かを判断する。例えば送受信データ量などの少ない時間帯においてｅＮＢ２００Ｂのエナジーセービングを行うと判断する。
【００８４】
第２の判断方法として、ｅＮＢ２００Ａは、ＯＡＭ（Ｏｐｅｒａｔｉｏｎ  ａｎｄ  Ｍａｉｎｔｅｎａｎｃｅ）からの指示（エナジーセービングＯＮ／ＯＦＦコマンド）に基づいて、ｅＮＢ２００Ｂのエナジーセービングを行うか否かを判断する。
【００８５】
第３の判断方法として、ｅＮＢ２００Ａは、ｅＮＢ２００Ａの電源供給状況、又はｅＮＢ２００Ｂの電源供給状況に基づいて、エナジーセービングを行うか否かを判断する。ｅＮＢ２００Ｂの電源供給状況をｅＮＢ２００Ａに通知すれば、ｅＮＢ２００ＡがｅＮＢ２００Ｂの電源供給状況を把握できる。例えば、ｅＮＢ２００Ａは、ｅＮＢ２００Ｂの電源供給が遮断された場合(バッテリ駆動となった場合)、ｅＮＢ２００Ｂのバッテリ残量が規定値を下回った場合、又はｅＮＢ２００Ｂの自家発電電力(ソーラー等)の出力電力が規定値を下回った場合などにおいて、ｅＮＢ２００Ｂのエナジーセービングを行うと判断する。
【００８６】
本実施形態において、ｅＮＢ２００Ａが、ｅＮＢ２００Ｂのエナジーセービングを行うと判断する。ｅＮＢ２００Ａは、ｅＮＢ２００Ｂに対して、エナジーセービングを行うための要求を送信する。ｅＮＢ２００Ｂは、当該要求を受信する。当該要求は、ｅＮＢ２００Ａが、ｅＮＢ２００Ｂに代わって、キャリアＦ１に対応するセルｂ１の管理を行う旨を示す情報を含む。
【００８７】
ステップＳ１２０において、ｅＮＢ２００Ｂは、ｅＮＢ２００Ａからの要求の受信に応じて、キャリアＦ１に対応するセルｂ１の管理を停止すると決定する。その後、ｅＮＢ２００Ｂは、セルｂ１に対応するキャリアＦ１を用いて通信を行うＵＥ１００が、セルｂ１からセルｂ２へとハンドオーバ（第１の切り替え）を行うための制御を行う。この第１の切り替えにより、キャリアＦ１を用いて通信を行うＵＥ１００がキャリアＦ２を用いて通信を開始する。
【００８８】
ｅＮＢ２００Ｂは、セルｂ１内に位置するアイドル状態のＵＥ１００をセルｂ２内に移動させるために、セルｂ１の管理を停止する旨及び／又はセルｂ２（のみ）を管理する旨を示す情報を含むシステム情報ブロック（ＳＩＢ）をブロードキャストしてもよい。
【００８９】
ステップＳ１３０において、ｅＮＢ２００Ｂは、セルｂ１の管理を停止する。ｅＮＢ２００Ｂは、ステップＳ１１０の要求に対する応答として、セルｂ１の管理を停止した旨をｅＮＢ２００Ａに送信する。
【００９０】
ステップＳ１４０において、ｅＮＢ２００Ａは、ｅＮＢ２００Ｂの無線部２１０ｂ及びアンテナ部２０１ｂを利用しながら、ｅＮＢ２００Ｂに代わって、キャリアＦ１に対応するセルｂ１の管理を開始する。ｅＮＢ２００Ａは、セルｂ１の管理を開始した旨をｅＮＢ２００Ｂに送信する。ｅＮＢ２００Ｂは、セルｂ１の管理を開始した旨を受信する。
【００９１】
ステップＳ１５０において、ｅＮＢ２００Ｂは、ｅＮＢ２００Ａからの受信に応じて、セルｂ２に対応するキャリアＦ２を用いて通信を行うＵＥ１００が、セルｂ２からセルｂ１へとハンドオーバ（第２の切り替え）を行うための制御を行う。ｅＮＢ２００Ｂは、ｅＮＢ２００Ａに対して、ハンドオーバ要求を行う。ｅＮＢ２００Ｂは、ｅＮＢ２００Ａからのハンドオーバ要求応答に応じて、ＵＥ１００に対して、セルｂ２からセルｂ１へとハンドオーバを行わせる。この第２の切り替えにより、キャリアＦ２を用いて通信を行うＵＥ１００がキャリアＦ１を用いて通信を開始する。
【００９２】
また、ｅＮＢ２００Ａは、自局のエナジーセービングを行うことが可能と判断した場合、セルａ２に対応するキャリアＦ２を用いて通信を行うＵＥ１００が、セルａ２からセルａ１へとハンドオーバを行うための制御を行う。このハンドオーバにより、キャリアＦ２を用いて通信を行うＵＥ１００がキャリアＦ１を用いて通信を開始する。
【００９３】
ステップＳ１６０において、ｅＮＢ２００Ｂは、セルｂ２の管理を停止する。ｅＮＢ２００Ｂは、セルｂ２の管理を停止した旨をｅＮＢ２００Ａに送信する。
【００９４】
また、ｅＮＢ２００Ａは、セルａ２の管理を停止する。これにより、ｅＮＢ２００Ａは、キャリアＦ１に対応するセルａ１及びセルｂ１のみを管理することができる。
【００９５】
次に、図１１を用いて、動作シーケンス２を説明する。動作シーケンス１と異なる部分を中心に説明し、同様の部分は、説明を適宜省略する。
【００９６】
動作シーケンス１では、キャリアＦ１に対応するセルｂ１の管理を停止した後に、キャリアＦ２に対応するセルｂ２の管理を停止したが、動作シーケンス２では、セルｂ２の管理を停止した後に、セルｂ１の管理を停止する。
【００９７】
ステップＳ２１０は、ステップＳ１１０に対応する。
【００９８】
ステップＳ２２０において、ｅＮＢ２００Ｂは、ｅＮＢ２００Ａからの要求の受信に応じて、キャリアＦ２に対応するセルｂ２の管理を停止すると決定する。ｅＮＢ２００Ｂは、セルｂ２に対応するキャリアＦ２を用いて通信を行うＵＥ１００が、セルｂ２からセルｂ１へとハンドオーバ（第１の切り替え）を行うための制御を行う。
【００９９】
ステップＳ２３０において、ｅＮＢ２００Ｂは、セルｂ２の管理を停止する。ｅＮＢ２００Ｂは、ステップＳ２１０におけるエナジーセービングの要求に対する応答として、セルｂ２の管理を停止した旨をｅＮＢ２００Ａに送信する。
【０１００】
ステップＳ２４０において、ステップＳ１４０と同様に、ｅＮＢ２００Ａは、ｅＮＢ２００Ｂの無線部２１０ｂ及びアンテナ部２０１ｂを利用しながら、キャリアＦ２に対応するセルｂ２の管理を開始する。ｅＮＢ２００Ａは、セルｂ２の管理を開始した旨をｅＮＢ２００Ｂに送信する。
【０１０１】
ステップＳ２５０において、ｅＮＢ２００Ｂは、ｅＮＢ２００Ａからのセルｂ２の管理を開始した旨の受信に応じて、セルｂ１に対応するキャリアＦ１を用いて通信を行うＵＥ１００が、セルｂ１からセルｂ２へとハンドオーバ（第２の切り替え）を行うための制御を行う。
【０１０２】
ステップＳ２６０において、ｅＮＢ２００Ｂは、セルｂ１の管理を停止する。
【０１０３】
なお、動作シーケンス２において、動作シーケンス１と同様にして、ｅＮＢ２００Ａは、セルａ１の管理を停止してもよい。
【０１０４】
（動作シーケンスの変更例）
次に、動作シーケンスの変更例を、図１２を用いて説明する。図１２は、本実施形態に係る移動通信システムの効率的な運用に切り替える場合の動作シーケンスの変更例を説明するための説明図である。
【０１０５】
上述の動作シーケンスでは、ｅＮＢ２００Ｂが、キャリアＦ１とキャリアＦ２を用いて、ＵＥ１００と通信を行っていた。本変更例では、ｅＮＢ２００Ａが、１つのキャリアを用いる場合に、移動通信システムの効率的な運用に切り替えるケースを説明する。
【０１０６】
図１２に示すように、ｅＮＢ２００Ａは、ｅＮＢ２００Ａ及びｅＮＢ２００Ｂが利用可能な所定の周波数帯域における無線リソースを時間方向又は周波数方向に分割する。ｅＮＢ２００Ａは、時間方向及び周波数方向に無線リソースを分割してもよい。
【０１０７】
次に、ｅＮＢ２００Ａは、分割した無線リソースのうち、ｅＮＢ２００Ａが使用可能な無線リソース及びｅＮＢ２００Ｂが使用可能な無線リソースを決定する。ｅＮＢ２００Ａは、ｅＮＢ２００Ａが使用可能な無線リソース及びｅＮＢ２００Ｂが使用可能な無線リソースが互いに重複しないようにする。
【０１０８】
ｅＮＢ２００Ａは、ｅＮＢ２００Ｂが使用可能な無線リソース（又はｅＮＢ２００Ａが使用可能な無線リソース）をｅＮＢ２００Ｂに通知する。
【０１０９】
ｅＮＢ２００Ｂは、ｅＮＢ２００Ａが使用可能な無線リソースを自セル内に位置するＵＥ１００へ割り当てないようにし、ｅＮＢ２００Ａが使用可能な無線リソースの管理を停止する。
【０１１０】
ｅＮＢ２００Ａは、ｅＮＢ２００Ｂの無線部２１０ｂ及びアンテナ部２０１ｂを利用しながら、ｅＮＢ２００Ｂに代わって、ｅＮＢ２００Ａが使用可能な無線リソースの管理を開始する。
【０１１１】
ｅＮＢ２００Ｂは、ｅＮＢ２００Ｂが使用可能な無線リソースを用いて通信を行うＵＥ１００が、ｅＮＢ２００Ａが使用可能な無線リソースを用いて通信を行うように制御する。
【０１１２】
ｅＮＢ２００Ｂは、自セル内に位置するＵＥ１００が、ｅＮＢ２００Ａが使用可能な無線リソースを用いて通信を開始した後、ｅＮＢ２００Ｂが使用可能な無線リソースの管理を停止する。ｅＮＢ２００Ｂは、ｅＮＢ２００Ａに無線リソースの管理を停止した旨を示す情報を送信してもよい。
【０１１３】
その後、ｅＮＢ２００Ａは、ｅＮＢ２００Ｂの無線部２１０ｂ及びアンテナ部２０１ｂを利用しながら、ｅＮＢ２００Ｂに代わって、ｅＮＢ２００Ｂが使用可能であった無線リソースを管理してもよい。
【０１１４】
（実施形態のまとめ）
本実施形態において、ｅＮＢ２００ＢがＵＥ１００との通信に関する一部の機能を停止する動作を行う場合において、ｅＮＢ２００Ａの制御部２４０ａは、ｅＮＢ２００Ｂの無線部２１０ｂ及びアンテナ部２０１ｂを利用しながら、一部の機能をｅＮＢ２００Ｂに代わってｅＮＢ２００Ａで行うように制御する。また、ｅＮＢ２００Ｂの制御部２４０ｂは、ｅＮＢ２００Ａが無線部２１０ｂ及びアンテナ部２０１ｂを利用しながら、一部の機能をｅＮＢ２００Ｂに代わって行う場合に、一部の機能を停止する。これにより、省電力化を図るためにｅＮＢ２００Ｂが一部の機能を停止した場合であっても、ｅＮＢ２００Ａが停止したｅＮＢ２００Ｂの機能を補うことができる。従って、ネットワーク全体の通信品質の低下を抑制しつつ、基地局の省電力化を実現できる。
【０１１５】
また、本実施形態において、ｅＮＢ２００Ｂが停止する一部の機能であり、且つ、ｅＮＢ２００Ａの制御部２４０ａがｅＮＢ２００Ｂに代わって制御する一部の機能は、ベースバンド部２２０ｂの機能及びＵＥ１００との通信に関する制御部２４０ｂの機能である。これにより、ｅＮＢ２００Ｂは、これらの機能の処理に使用していた電力の分だけ、省電力化を図ることができる。
【０１１６】
また、本実施形態において、ｅＮＢ２００Ｂが停止する一部の機能であり、且つ、ｅＮＢ２００Ａの制御部２４０ａがｅＮＢ２００Ｂに代わって制御する一部の機能は、ＵＥ１００との通信を制御するＲＲＣ機能である。これにより、この機能の処理に使用していた電力の分だけ、省電力化を図ることができる。
【０１１７】
また、本実施形態において、ｅＮＢ２００Ａが停止をせずに行う機能は、再送処理を行うＲＬＣ機能及び無線リソースのスケジューリングと再送処理とを行うＭＡＣ機能である。これにより、バックホールの遅延による影響を受けずに、再送制御及びスケジューリングを行うことができるため、通信品質の低下をさらに抑制できる。
【０１１８】
また、本実施形態において、ｅＮＢ２００Ｂは、キャリアＦ１に対応するセルｂ１及びキャリアＦ２に対応するセルｂ２を管理している。ｅＮＢ２００Ｂは、キャリアＦ１を使用して通信を行うＵＥ１００が、キャリアＦ２を使用して通信を行うための切り替えであるセルｂ１からセルｂ２へのハンドオーバ手続を行う。また、ｅＮＢ２００Ｂは、切り替えを行った後にキャリアＦ１に対応するセルｂ１の管理を停止する。ｅＮＢ２００Ａの制御部２４０ａは、ｅＮＢ２００Ｂの無線部２１０ｂ及びアンテナ部２０１ｂを利用しながら、キャリアＦ１に対応するセルｂ１の管理をｅＮＢ２００Ｂに代わって、ｅＮＢ２００Ａで行うように制御する。また、本実施形態において、ｅＮＢ２００Ｂの制御部２４０ｂは、セルｂ１及びセルｂ２を管理する。制御部２４０ｂは、キャリアＦ１を使用して通信を行うＵＥ１００が、キャリアＦ２を使用して通信を行うための切り替えであるセルｂ１からセルｂ２へのハンドオーバ手続を制御する。制御部２４０ｂは、切り替えを行った後にセルｂ１の管理を停止する。これにより、ｅＮＢ２００Ｂがセルｂ１の管理を停止しても、セルｂ１に接続するＵＥ１００が通信不能にならずに、シームレスな通信を実現できる。
【０１１９】
また、本実施形態において、ｅＮＢ２００Ａの制御部２４０ａは、セルｂ２に対応するキャリアＦ２を使用して通信を行うＵＥ１００が、ｅＮＢ２００Ｂに代わってｅＮＢ２００Ａが管理するセルｂ１に対応するキャリアＦ１を使用して通信を行うための切り替えであるセルｂ２からセルｂ１へのハンドオーバ手続を制御する。ｅＮＢ２００Ｂは、当該切り替えを行った後にセルｂ２の管理を停止する。また、本実施形態において、ｅＮＢ２００Ａは、セルｂ１からセルｂ２へのハンドオーバ手続を行った後に、セルｂ１の管理を無線部２１０ｂ及びアンテナ部２０１ｂを利用しながら、ｅＮＢ２００Ｂに代わって、ｅＮＢ２００Ａで行うように制御する。ｅＮＢ２００Ｂの制御部は、キャリアＦ２を使用して通信を行うＵＥ１００が、ｅＮＢ２００Ｂに代わってｅＮＢ２００Ａが管理するセルｂ１に対応するキャリアＦ１を使用して通信を行うための切り替えであるセルｂ２からセルｂ１へのハンドオーバ手続を制御する。ｅＮＢ２００Ｂの制御部２４０ｂは、当該切り替えを行った後に、セルｂ２の管理を停止する。これにより、ｅＮＢ２００Ｂがセルｂ２の管理を停止しても、セルｂ２に接続するＵＥ１００が通信不能にならずに、シームレスな通信を実現できる。
【０１２０】
また、本実施形態において、ｅＮＢ２００Ｂが管理する無線リソースは、ｅＮＢ２００Ａ及びｅＮＢ２００Ｂが利用可能な所定の周波数帯域における無線リソースである。当該無線リソースは互いに重複しないように、時間方向及び／又は周波数方向に分割される。これにより、ｅＮＢ２００Ｂが１つのセルを管理している場合において、セルの管理を停止する場合であっても、当該セルに接続するＵＥ１００が通信不能にならずに、シームレスな通信を実現できる。
【０１２１】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２２】
例えば、上述した実施形態では、ｅＮＢ２００Ａ及びｅＮＢ２００Ａに隣接するｅＮＢ２００Ｂとの動作を説明したが、これに限られない。例えば、ＭｅＮＢ２００と、ＭｅＮＢ２００が管理する大セル内に設置された、大セルよりも小さいセルを管理するＰｅＮＢ２００との動作であってもよい。この場合、ｅＮＢ２００ＡがＭｅＮＢ２００に対応し、ｅＮＢ２００ＢがＰｅＮＢ２００に対応する。
【０１２３】
また、上述した実施形態において、移動通信システムの通常の運用と移動通信システムの効率的な運用を時間帯によって、切り替えてもよい。図１３に示すように、多くのＵＥ１００が通信を行う時間帯（例えば、４：００〜２２：００）では、通常の運用が行われ、少ないＵＥ１００が通信を行う時間帯（例えば、０：００〜４：００、２２：００〜２４：００）では、効率的な運用が行われてもよい。
【０１２４】
上述した実施形態において、ｅＮＢ２００Ａは、隣接して設置されたｅＮＢ２００を制御していたが、これに限られない。ｅＮＢ２００Ａは、Ｘ２インターフェイスとＸｘインターフェイス（又はＸｙインターフェイス）とを介して通信可能なｅＮＢ２００を制御してもよい。
【０１２５】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１２６】
なお、日本国特許出願第２０１３−１６７０７４号（２０１３年８月９日出願）の全内容が、参照により、本願明細書に組み込まれている。
【産業上の利用可能性】
【０１２７】
以上のように、本発明に係る基地局は、ネットワーク全体の通信品質の低下を抑制しつつ基地局の省電力化を実現できるため、移動通信分野において有用である。
【図１】
2018129849.tif 000003
【図２】
2018129849.tif 000004
【図３】
2018129849.tif 000005
【図４】
2018129849.tif 000006
【図５】
2018129849.tif 000007
【図６】
2018129849.tif 000008
【図７】
2018129849.tif 000009
【図８】
2018129849.tif 000010
【図９】
2018129849.tif 000011
【図１０】
2018129849.tif 000012
【図１１】
2018129849.tif 000013
【図１２】
2018129849.tif 000014
【図１３】
2018129849.tif 000015